(57)【要約】【課題】管理対象となる複数の装置におけるそれぞれ複数の構成部品を、各構成部品の実装位置と共に管理できること。【解決手段】管理対象となる複数の装置２１のそれぞれについて、装置筐体１及び実装品２、３、４ａ、４ｂ、５ａ〜５ｆ、６の電子タグ７ａ〜７ｌのＩＤが、それぞれ電子タグに対応して個別に設置された複数のアンテナ８ａ〜８ｌを用いて電子タグリーダライタ装置９により読み取られ、電子タグリーダライタ装置及び構成管理サーバマシン１２が、電子タグのＩＤと、この電子タグのＩＤを読み取ったアンテナの設置位置を示す番号とを組として情報処理し、構成管理データベース１３に、電子タグのＩＤに関連付けられた装置筐体及び実装品の情報と、この電子タグのＩＤを読み取ったアンテナの設置位置を示す番号に関連付けられた実装位置の情報とが、組となって記憶されるものである。【選択図】  図１
2008305183.tif 000002
【特許請求の範囲】
【請求項１】
管理対象となる複数の装置のそれぞれについて、複数の構成部品のそれぞれに貼り付けられた電子タグの識別コードに関連付けられた上記構成部品の情報を、構成管理サーバマシンを用いて構成管理データベースに記憶することにより、複数の前記装置の前記構成部品を管理する構成管理装置であって、
前記各構成部品の前記電子タグの識別コードが、それぞれの電子タグに対応して個別に配置された複数のアンテナを用いて電子タグリーダライタ装置により読み取られ、
当該電子タグリーダライタ装置及び前記構成管理サーバマシンが、前記電子タグの識別コードと、この電子タグの識別コードを読み取った前記アンテナの設置位置を示す識別コードとを組として情報処理し、
前記構成管理データベースに、前記電子タグの識別コードに関連付けられた構成部品の情報と、この電子タグの識別コードを読み取った前記アンテナの設置位置を示す識別コードに関連付けられた実装位置の情報とが、組となって記憶されるよう構成されたことを特徴とする構成管理装置。
【請求項２】
前記構成部品が装置筐体と、この装置筐体内に実装される実装品とからなり、この装置筐体内に前記アンテナ及び電子タグリーダライタ装置が設置されたことを特徴とする請求項１に記載の構成管理装置。
【請求項３】
前記電子タグリーダライタ装置には、この電子タグリーダライタ装置に指令を送信する端末装置が接続され、この端末装置がインターネット装置を介して構成管理サーバマシンに接続可能に構成されることを特徴とする請求項１または２に記載の構成管理装置。
【請求項４】
前記構成管理データベースには、前記構成部品に貼り付けられた電子タグの識別コードに関連付けられた上記構成部品の情報と、この電子タグの識別コードを読み取ったアンテナの設置位置を示す識別コードに関連付けられた実装位置の情報とが組となり、一つの装置の全ての構成部品について、前記組となった情報が一つにまとめられて構成情報として記憶されることを特徴とする請求項１乃至３のいずれかに記載の構成管理装置。
【請求項５】
前記構成管理サーバマシンは、一つの装置を構成する複数の前記構成部品のそれぞれに貼り付けられた電子タグの識別コードのうち一つの識別コードを、構成情報管理用のキーコードとして処理するよう構成されたことを特徴とする請求項４に記載の構成管理装置。
【請求項６】
前記構成管理サーバマシンは、一つの装置について、前記構成部品とその実装位置の複数組の情報からなる構成情報に、追加情報を追加して前記構成管理データベースに記憶させるよう構成されたことを特徴とする請求項４または５に記載の構成管理装置。
【請求項７】
前記構成管理サーバマシンは、前記構成管理データベースに記憶された構成情報を読み取り、この構成情報に組として情報化されている、電子タグの識別コードに関連付けられた構成部品の情報と、この電子タグの識別コードを読み取ったアンテナの設置位置を示す識別コードに関連付けられた実装位置の情報とを対応付けて、付加情報と共に自己の表示装置に表示可能に構成されたことを特徴とする請求項４乃至６のいずれかに記載の構成管理装置。
【請求項８】
前記端末装置は、前記構成管理サーバマシンを介して構成管理データベースに記憶された構成情報を読み取り、この構成情報に組として情報化されている、電子タグの識別コードに関連付けられた構成部品の情報と、この電子タグの識別コードを読み取ったアンテナの設置位置を示す識別コードに関連付けられた実装位置の情報とを対応付けて、付加情報と共に入力して、自己の記憶装置に記憶可能に構成されたことを特徴とする請求項４乃至７のいずれかに記載の構成管理装置。
【請求項９】
前記端末装置は、前記ネットワーク装置から切離された後に、自己の記憶装置に記憶された構成情報の、電子タグの識別コードに関連付けられた構成部品の情報と、この電子タグの識別コードを読み取ったアンテナの設置位置を示す識別コードに関連付けられた実装位置の情報とを対応付けて、付加情報と共に自己の表示装置に表示可能に構成されたことを特徴とする請求項４乃至８のいずれかに記載の構成管理装置。
【請求項１０】
前記端末装置は、前記電子タグリーダライタ装置から、前記構成部品に貼り付けられた電子タグの識別コードと、この電子タグの識別コードを読み取ったアンテナの設置位置を示す識別コードとを組として読み取り、この組として読み取られた各識別コードと、自己の記憶装置に記憶されている、前述の組として読み取られた各識別コードに対応する構成部品及びその実装位置に関する識別コードとを比較して表示可能に構成されたことを特徴とする請求項４乃至９のいずれかに記載の構成管理装置。
【請求項１１】
前記端末装置は、前記構成部品に貼り付けられた電子タグへの情報の書き込み処理を、当該電子タグに対応して設置されたアンテナの設置位置を電子タグリーダライタ装置に指定して、このアンテナを用い前記電子タグリーダライタ装置により実施させるよう構成されたことを特徴とする請求項３乃至１０のいずれかに記載の構成管理装置。
【請求項１２】
前記端末装置は、前記構成部品に貼り付けられた電子タグからの情報の読み取り処理を、前記電子タグに対応して設置されたアンテナの設置位置を示す識別コードを電子タグリーダライタ装置に指定して、このアンテナを用い前記電子タグリーダライタ装置により実施させるよう構成されたことを特徴とする請求項３乃至１１のいずれかに記載の構成管理装置。
【請求項１３】
前記構成部品が装置筐体と、この装置筐体内に実装される実装品とからなり、前記電子タグリーダライタ装置が前記装置筐体の外部に設置され、前記アンテナと上記電子タグリーダライタ装置とに接続されるアンテナコネクタが前記装置筐体内に組み込まれて構成されたことを特徴とする請求項１または３乃至１２のいずれかに記載の構成管理装置。
【請求項１４】
前記構成部品が装置筐体と、この装置筐体内に実装される実装品とからなり、前記装置筐体の外部に電子タグリーダライタ装置が設置され、上記実装品に貼り付けられた電子タグが前記装置筐体の壁面近辺に位置付けられ、アンテナが前記装置筐体の外側で、前記電子タグに接近する位置に設置されたことを特徴とする請求項１または３乃至１２のいずれかに記載の構成管理装置。
【請求項１５】
前記構成部品に貼り付けられた電子タグに対応して設置された前記アンテナ近辺には、これら通信を実施する一対の電子タグ及びアンテナ以外への電磁波を遮断するシールドが設置されたことを特徴とする請求項１乃至１４のいずれかに記載の構成管理装置。
【発明の詳細な説明】
【技術分野】
【０００１】
本発明は、管理対象となる複数の装置のそれぞれについて、複数の構成部品、たとえば装置筐体及びこの装置筐体内に実装された実装品のそれぞれを管理する構成管理装置に関する。
【背景技術】
【０００２】
一般に、構成管理装置においては、構成管理装置が管理する装置の装置筐体内に組み込まれる電子機器等の実装品及び装置筐体を管理するため為に、電子タグを実装品及び装置筐体に貼り付けて、この電子タグに記憶されている固有の識別コードを読み取り、この識別コードを実装品及び装置筐体に関連付けて、ネットワーク上のサーバマシンのデータベースにて管理する製品管理支援システムが提案されている（特許文献１参照）。
【０００３】
また、物品管理システムとして、書籍に取り付けられた無線ＩＣカードの情報を、カードリーダを用いて読み取って書籍の所在を管理し、また、無線ＩＣカードへ情報の書き込みを可能として、書籍の不正な持ち出しを防止するものがある（特許文献２参照）。
【０００４】
更に、物品管理システムとして、棚に取り付けられたアンテナにて書籍が近くにあることを書籍のＲＦタグにて検知し、この検知した書籍のＲＦタグのＩＤを基にデータベースから返却先の棚位置を取得してその棚位置のＬＥＤを点滅させ、書籍がその位置に返却されて格納されたときに、格納位置に取り付けられたアンテナが該当書籍のＲＦタグを検知してＬＥＤを点灯させ、一定時間後にこのＬＥＤを消灯して、書籍が不適当な場所に格納されることを防止するものがある（特許文献３参照）。
【０００５】
また、図書類の保管管理システムとして、図書類の読み取り範囲を区分するために遮蔽板を使用して、図書類に取り付けられたＲＦ‐ＩＤ素子の情報を正確に読み取るようにしたものがある（特許文献４参照）。
【０００６】
また、製品管理システムとして、製品の修理情報、改造情報、検査情報を含む製造履歴情報が記憶された記憶媒体を製品に具備させ、データベースサーバと端末と製品の記憶媒体とを通信可能に結合し、端末にて、データベースサーバ及び製品の記憶媒体にデータの読み書きを実施させるものがある（特許文献５参照）。
【特許文献１】特開２００５−８５２２８号公報
【特許文献２】特開２００１−１０１２８５号公報
【特許文献３】特開２００６−８３０１号公報
【特許文献４】特開２００４−５９３２０号公報
【特許文献５】特開２００２−３２４１４３号公報
【発明の開示】
【発明が解決しようとする課題】
【０００７】
特許文献１に記載の製品管理支援システムにおいては、装置に組み込まれた電子機器等の実装品が何かは分かるが、その実装品が装置の何処に組み込まれているかが分からないため、装置内の正しい場所に実装品が組み込まれているか否かを確認することができなかった。
【０００８】
また、特許文献２、３及び４に記載の各システムでは、図書類に関し、この図書類に取り付けられた電子タグ（無線ＩＣカード、ＲＦタグ、ＲＦ‐ＩＤ素子）の情報を読み取って、一つの図書館において図書類の所在や位置などを管理するものであり、複数の装置のそれぞれについて、装置筐体内の実装品とその実装位置を管理することはできない。
【０００９】
更に、特許文献５に記載の製品管理システムでは、製品の一品ずつの情報管理であり、製品の中に実装されている実装品についての実装位置を含めた構成管理は考慮されていない。
【００１０】
本発明の目的は、上述の事情を考慮してなされたものであり、管理対象となる複数の装置におけるそれぞれ複数の構成部品を、各構成部品の実装位置と共に管理することができる構成管理装置を提供することにある。
【課題を解決するための手段】
【００１１】
本発明は、管理対象となる複数の装置のそれぞれについて、複数の構成部品のそれぞれに貼り付けられた電子タグの識別コードに関連付けられた上記構成部品の情報を、構成管理サーバマシンを用いて構成管理データベースに記憶することにより、複数の前記装置の前記構成部品を管理する構成管理装置であって、前記各構成部品の前記電子タグの識別コードが、それぞれの電子タグに対応して個別に配置された複数のアンテナを用いて電子タグリーダライタ装置により読み取られ、当該電子タグリーダライタ装置及び前記構成管理サーバマシンが、前記電子タグの識別コードと、この電子タグの識別コードを読み取った前記アンテナの設置位置を示す識別コードとを組として情報処理し、前記構成管理データベースに、前記電子タグの識別コードに関連付けられた構成部品の情報と、この電子タグの識別コードを読み取った前記アンテナの設置位置を示す識別コードに関連付けられた実装位置の情報とが、組となって記憶されるよう構成されたことを特徴とするものである。
【発明の効果】
【００１２】
本発明によれば、構成部品の実装位置を認識できるので、複数の装置におけるそれぞれ複数の構成部品を、その実装位置と共に管理することができる。
【発明を実施するための最良の形態】
【００１３】
以下、本発明を実施するための最良の形態を、図面に基づき説明する。但し、本発明は、これらの実施の形態に限定されるものではない。
【００１４】
［Ａ］第１の実施の形態（図１）
図１は、本発明に係る構成管理装置の第１の実施の形態を示す構成図である。この第１の実施の形態の構成管理装置２０は、管理対象となる複数の装置２１のそれぞれについて、その装置２１を構成する構成部品としての装置筐体１と、この装置筐体１内に実装された同じく構成部品としての実装品（例えば後述の冷却ファン２、電源装置３、ベイエリア実装装置４ａ，４ｂ、拡張インターフェイスカード機器５ａ〜５ｆ、マザーボード６等）との構成を管理するものである。
【００１５】
この構成管理装置２０は、電子タグリーダライタ装置９と、この電子タグリーダライタ装置９のアンテナ８ａ〜８ｌと、可搬端末装置１０と、ネットワーク装置１１と、構成管理サーバマシン１２と、構成管理データベース１３とを有して構成される。
【００１６】
装置２１の装置筐体１内に、アンテナ８ａ〜８ｌと電子タグリーダライタ装置９とが接続された状態で組み込まれる。また、可搬端末装置１０は、電子タグリーダライタ装置９及びネットワーク装置１１と接続または切り離し可能に構成される。この可搬端末装置１０は、ネットワーク装置１１を介さずに構成管理サーバマシン１２に接続されてもよい。構成管理サーバマシン１２は、ネットワーク装置１１と構成管理データベース１３に接続される。
【００１７】
複数の装置２１におけるそれぞれの装置筐体１内には、冷却ファン２、電源装置３、ベイエリア実装装置４ａ，４ｂ、拡張インターフェイスカード機器５ａ〜５ｆ、マザーボード６等の装置や機器（つまり実装品）が実装されている。これらの各実装品に、固有のＩＤが識別コードとして記憶された電子タグ（ＲＦＩＤ）７ａ〜７ｋが貼り付けられている。このＲＦＩＤは、Ｒａｄｉｏ  Ｆｒｅｑｕｅｎｃｙ  ＩＤｅｎｔｉｆｉｃａｔｉｏｎの略称であり、半導体とアンテナが内蔵されて、外部と無線で通信可能に設けられたものである。また、装置筐体１にも、固有のＩＤが識別コードとして記憶された電子タグ（ＲＦＩＤ）７ｌが貼り付けられている。
【００１８】
ベイエリア実装装置４ａ，４ｂは、例えばＨＤＤ装置や光ディスク装置やＦＤＤ装置などである。また、拡張インターフェイスカード機器５ａ〜５ｆは、例えばグラフィックカードやＬＡＮカードなどである。
【００１９】
電子タグリーダライタ装置９のアンテナ８ａ〜８ｌは、装置筐体１に貼り付けられた電子タグ７ｌ、及び装置筐体１内の各実装品に貼り付けられている電子タグ７ａ〜７ｋの貼り付け位置にそれぞれ対応して対向配置されている。
【００２０】
また、電子タグ７ａ〜７ｌが冷却ファン２、電源装置３、ベイエリア実装装置４ａ，４ｂ、拡張インターフェイスカード機器５ａ〜５ｆ、マザーボード６などの実装品及び装置筐体１に貼り付けられた後に、これらの電子タグ７ａ〜７ｌの固有のＩＤがアンテナ８ａ〜８ｌを用いて電子タグリーダライタ装置９により読み取られる。読み取られた電子タグ７ａ〜７ｌの固有のＩＤと、貼り付け先の冷却ファン２、電源装置３、ベイエリア実装装置４ａ，４ｂ、拡張インターフェイスカード機器５ａ〜５ｆ、マザーボード６などの実装品及び装置筐体１との対応関係が、構成管理データベース１３に予め記憶される。また、アンテナ８ａ〜８ｌが装置筐体１内に設置される位置（場所）を示す識別コードとしての固有の番号と、その設置位置の情報とが、構成管理データベース１３に予め記憶される。
【００２１】
つまり、可搬端末装置１０は、電子タグリーダライタ装置９へ、アンテナ８ａ〜８ｌを用いて電子タグ７ａ〜７ｌに記憶されたＩＤを読み取るための指令を送信する。
【００２２】
指令を受信した電子タグリーダライタ装置９は、アンテナ８ａ〜８ｌを順次に切替えながら、冷却ファン２、電源装置３、ベイエリア実装装置４ａ，４ｂ、拡張インターフェイスカード機器５ａ〜５ｆ、マザーボード６の各実装品及び装置筐体１に貼り付けられた電子タグ７ａ〜７ｌからＩＤをひとつずつ読み取る。このとき、アンテナ８ａ〜８ｌからＩＤ読み取り用の電磁波を発生する。電子タグ７ａ〜７ｌはこの電磁波により誘導され、起電力が発生して動作し、ＩＤを送信する。このＩＤをアンテナ８ａ〜８ｌが受信する。
【００２３】
アンテナ８ａ〜８ｌには、予め装置筐体１に設置される位置（場所）を示す固有の番号が付されているので、電子タグリーダライタ装置９は、読み取った電子タグ７ａ〜７ｌのＩＤと、読み取りを行ったアンテナ８ａ〜８ｌの固有の番号とを組にして、可搬端末装置１０へ通知する。
【００２４】
可搬端末装置１０は、通知された電子タグ７ａ〜７ｌのＩＤと、アンテナ８ａ〜８ｌの固有の番号とを組の状態で、ネットワーク装置１１を経由して構成管理サーバマシン１２へ通知する。
【００２５】
構成管理サーバマシン１２は、通知された電子タグ７ａ〜７ｌのＩＤとアンテナ８ａ〜８ｌの固有の番号とを使用して、電子タグ７ａ〜７ｌのＩＤから、この電子タグ７ａ〜７ｌが貼り付けられた実装品及び装置筐体１を特定し、またアンテナ８ａ〜８ｌの固有の番号から、その電子タグ７ａ〜７ｌが貼り付けられた実装品及び装置筐体１の実装位置を特定する。
【００２６】
この構成管理サーバマシン１２は、更に、電子タグリーダライタ装置９に接続された全てのアンテナ８ａ〜８ｊから読み取った結果の、電子タグ７ａ〜７ｌのＩＤとアンテナ８ａ〜８ｌの番号の全ての組について、実装品及び装置筐体１の実装位置の特定を実施し、これら全ての組の情報（実装品及び装置筐体１の情報とその実装位置の情報）を、１つの装置２１の構成情報として構成管理データベース１３に記憶させる。
【００２７】
その際、構成管理サーバマシン１２は、個々の装置２１の構成情報を管理するためのＩＤとして、装置筐体１に貼り付けられた電子タグ７ｌのＩＤを構成情報管理用の固有のＩＤ（つまりキーコード）として構成情報に割り付け、この構成情報管理用のＩＤに、装置２１の名称、納入先、納入日などの情報を付加情報として付加して、構成管理データベース１３に記憶させる。尚、構成情報管理用のＩＤ（キーコード）は、アンテナ８ａ〜８ｌの固有の番号のうちの一つを使用してもよい。
【００２８】
また、他の装置２１についても同様に、可搬端末装置１０は、他の装置２１の装置筐体１に配置された電子タグリーダライタ装置９に接続されて、電子タグ７ａ〜７ｌのＩＤとアンテナ８ａ〜８ｌの固有の番号との組を電子タグリーダライタ装置９から得、ネットワーク装置１１を経由して構成管理サーバマシン１２へ通知することで、この他の装置２１の構成情報及び付加情報が構成管理データベース１３に記憶される。
【００２９】
次に、構成管理装置２０の作用を説明する。
【００３０】
構成管理サーバマシン１２は、構成管理データベース１３に記憶されている構成情報に付加された付加情報を基に検索して、装置筐体１の構成情報の固有ＩＤ（キーコード）を特定して指定することにより、またはこの構成情報の固有ＩＤ（キーコード）を直接指定することにより、構成管理データベース１３に記憶されている構成情報の電子タグ７ａ〜７ｌのＩＤとアンテナ８ａ〜８ｌの番号とを基に、装置筐体１に実装されている実装品及び装置筐体１の情報と実装位置の情報とを、構成管理データベース１３から付加情報と共に取り出して、自己の表示装置１６に表示する。
【００３１】
同様に、可搬端末装置１０は、ネットワーク装置１１を経由し構成管理サーバマシン１２を介して、構成管理データベース１３に記憶されている構成情報に付加された付加情報を基に検索して、装置筐体１の構成情報の固有ＩＤ（キーコード）を特定して構成管理サーバマシン１２へ指定する。これにより、構成管理サーバマシン１２は、構成管理データベース１３に記憶されている構成情報の電子タグ７ａ〜７ｌのＩＤとアンテナ８ａ〜８ｊの番号とを基に、装置筐体１に実装されている実装品及び装置筐体１の情報とその実装位置の情報とを、構成管理データベース１３から付加情報と共に取り出し、電子タグ７ａ〜７ｌのＩＤとアンテナ８ａ〜８ｌの番号と共に、ネットワーク装置１１を経由して可搬端末装置１０へ通知する。可搬端末装置１０は、通知された装置筐体１内の実装品及び装置筐体１の情報と実装位置の情報と付加情報とを、自己の記憶装置１８に記憶すると共に、自己の表示装置１７に表示する。
【００３２】
また、可搬端末装置１０は、装置筐体１の電子タグ７ｌのＩＤを読み取るように電子タグリーダライタ装置９へ指示を行い、読み取った上記ＩＤを基にネットワーク装置１１を経由して構成管理サーバマシン１２へ通知し、このＩＤに対応した構成情報を返信するように構成管理サーバマシン１２に対して要求する。構成管理サーバマシン１２は、要求された上記ＩＤに対応した装置筐体１の構成情報を構成管理データベース１３から、上記ＩＤをキーコードとして取り出し、この構成情報における実装品及び装置筐体１の情報と実装位置の情報とを、付加情報と、電子タグ７ａ〜７ｌのＩＤ及びアンテナ８ａ〜８ｌの番号と共に、ネットワーク装置１１を経由して可搬端末装置１０に通知する。可搬端末装置１０は、構成管理サーバマシン１２から通知された装置筐体１内の実装品及び装置筐体１の情報と実装位置の情報と付加情報とを自己の記憶装置１８に記憶すると共に、自己の表示装置１７に表示する。
【００３３】
可搬端末装置１０は、ネットワーク装置１１から切り離された後に、自己の記憶装置１８に記憶された構成情報及び付加情報について、装置筐体１の電子タグ７ｌのＩＤが指定されることで、そのＩＤに対応した構成情報及び付加情報を自己の表示装置１７に表示する。
【００３４】
可搬端末装置１０は、構成管理サーバマシン１２から通知された構成情報及び付加情報を自己の記憶装置１８に記憶しておき、接続されている装置筐体１内の実装品及び装置筐体１に貼り付けられた電子タグ７ａ〜７ｌのＩＤを、電子タグリーダライタ装置９を経由して、実装位置を示すアンテナ８ａ〜８ｌの番号と共に組として読み取る。そして、可搬端末装置１０は、この組として読み取った電子タグ７ａ〜７ｌのＩＤ及びアンテナ８ａ〜８ｌの番号と、自己の記憶装置１８に記憶されている、前述の読み取ったＩＤ、番号にそれぞれ対応する実装品及び装置筐体１の電子タグ７ａ〜７ｌのＩＤ、実装位置を示すアンテナ８ａ〜８ｌの番号とを比較して、自己の表示装置１７に表示する。
【００３５】
この比較表示は、読み取ったアンテナ８ａ〜８ｌの番号に対応する番号を、可搬端末装置１０の記憶装置１８に記憶された構成情報から検索し、この検索したアンテナ８ａ〜８ｌの番号と組になっている記憶された電子タグ７ａ〜７ｌのＩＤと、読み取った電子タグ７ａ〜７ｌのＩＤとを比較して表示してもよい。
【００３６】
この比較表示の際に、可搬端末装置１０は、自己の記憶装置１８に記憶されている構成情報のうち、比較表示の対象となった電子タグ７ａ〜７ｌ及びアンテナ８ａ〜８ｌに関して、電子タグ７ａ〜７ｌのＩＤに関連付けられた実装品及び装置筐体１の情報と、アンテナ８ａ〜８ｌの設置位置に関する番号に関連付けられた実装位置の情報とを対応付けて、付加情報と共に自己の表示装置１７に表示する。
【００３７】
可搬端末装置１０は、電子タグリーダライタ装置９へアンテナ８ａ〜８ｌの番号を指定し、この指定した番号のアンテナ８ａ〜８ｌを使用して電子タグリーダライタ装置９により、電子タグ７ａ〜７ｌのＩＤ及びその電子タグ７ａ〜７ｌのメモリー内容を読み取らせ、指定した番号のアンテナ８ａ〜８ｌの装置筐体１内での設置位置と共に、電子タグ７ａ〜７ｌから読み取った情報を自己の表示装置１７に表示する。
【００３８】
また、可搬端末装置１０は、電子タグリーダライタ装置９へアンテナ８ａ〜８ｌの番号を指定して、この電子タグリーダライタ装置９により、指定した番号のアンテナを用いて、このアンテナに対向配置された電子タグ７ａ〜７ｌのメモリーへの情報の書込みを実施させる。
【００３９】
本実施の形態によれば、次の効果（１）〜（６）を奏する。
【００４０】
（１）装置筐体１、及びこの装置筐体１内の実装品である冷却ファン２、電源装置３、ベイエリア実装装置４ａ，４ｂ、拡張インターフェイスカード機器５ａ〜５ｆ、マザーボード６に一つずつ貼り付けられた電子タグ７ａ〜７ｌの固有のＩＤが、読み取ったアンテナ８ａ〜８ｌの番号と組となって情報処理され、構成管理データベース１３に、電子タグ７ａ〜７ｌのＩＤに関連付けられた実施品及び装置筐体１の情報と、この電子タグ７ａ〜７ｌのＩＤを読み取ったアンテナ８ａ〜８ｌの設置位置を示す番号に関連付けられた実装位置の情報とが、組として記憶される。このため、実装品及び装置筐体１に貼り付けられた電子タグ７ａ〜７ｌのＩＤを読み取ったアンテナ８ａ〜８ｌの番号により、例えば装置筐体１内の何処に実装された実装品であるかが分かり、複数の装置２１のそれぞれについて、装置筐体１内に実装されている実装品の実装位置を含めた構成情報を管理することができる。この結果、製造、出荷、納入、保守点検時に、実装品や装置筐体１の構成管理の確認や実装位置の確認を的確に実施することができる。
【００４１】
（２）可搬端末装置１０は、構成管理サーバマシン１２及びネットワーク装置１１を経由して、構成管理データベース１３に記憶された、各装置２１の装置筐体１に実装された実装品及び装置筐体１に関する構成情報及び付加情報を表示できるので、ネットワーク環境があればどんな場所からも、各装置２１の装置筐体１、及びこの装置筐体１に実装された実装品に関する構成情報及び付加情報を確認することができる。
【００４２】
（３）可搬端末装置１０は、各装置２１の装置筐体１に実装された実装品及び装置筐体１に関する構成情報及び付加情報を記憶可能に設けられているので、ネットワーク装置１１に接続されていない状態でも、装置筐体１と共に、この装置筐体１に実装されている実装品の構成情報及び付加情報を確認することができる。
【００４３】
（４）可搬端末装置１０は、実際の装置筐体１から電子タグリーダライタ装置９を用いて読み取った電子タグ７ａ〜７ｌのＩＤ、アンテナ８ａ〜８ｌの番号を、記憶された構成情報のうちの電子タグ７ａ〜７ｌのＩＤ、アンテナ８ａ〜８ｌの番号と比較して、その差異を自己の表示装置１７に表示可能に設けられているので、実装品を取り外しての保守時や交換保守時に実装品の再実装先が間違っていないかを的確に確認することができる。
【００４４】
（５）可搬端末装置１０は、アンテナ８ａ〜８ｌの番号を指定して、そのアンテナ８ａ〜８ｌに対向配置された電子タグ７ａ〜７ｌのＩＤ及びその電子タグ７ａ〜７ｌのメモリー内容を読み込み、その内容を自己の表示装置１７に表示可能に設けられているので、装置筐体１内の特定の実装位置を指定して、その実装位置に実装されている実装品を確認することができる。
【００４５】
（６）可搬端末装置１０は、アンテナ８ａ〜８ｌの番号を指定して、そのアンテナ８ａ〜８ｌに対向配置された電子タグ７ａ〜７ｌのメモリーに情報を書き込み可能に設けられているので、装置筐体１の特定の実装位置に実装された実装品に貼り付けられている電子タグ７ａ〜７ｌのメモリーに、例えば保守内容を示す情報を書き込むことができる。
【００４６】
［Ｂ］第２の実施の形態（図２）
図２は、本発明に係る構成管理装置の第２の実施の形態を示す構成図である。この第２の実施の形態において、前記第１の実施の形態と同様な部分は、同一の符号を付して説明を簡略化し、または省略する。
【００４７】
第２の実施の形態の構成管理装置２２は、前記第１の実施の形態の構成管理装置２０の構成にアンテナコネクタ１４を追加したものである。つまり、電子タグリーダライタ装置９のアンテナ８ａ〜８ｌとアンテナコネクタ１４は、接続されて装置筐体１内に組み込まれている。電子タグリーダライタ装置９は、装置筐体１内には組み込まれず、装置筐体１の外側に配置されて、アンテナコネクタ１４と接続または切り離し可能に構成される。更に、この電子タグリーダライタ装置９は、可搬端末装置１０とも接続または切り離し可能に構成される。
【００４８】
このように構成された本実施の形態において、電子タグリーダライタ装置９を可搬端末装置１０とアンテナコネクタ１４に接続する。可搬端末装置１０は、電子タグタグリーダライタ装置９、アンテナコネクタ１４、アンテナ８ａ〜８ｌを経由して、電子タグ７ａ〜７ｌのＩＤとアンテナ８ａ〜８ｌの番号とを組として読み込む。
【００４９】
従って、本実施の形態によれば、前記第１の実施の形態の効果（１）〜（６）と同様な効果を奏するほか、次の効果（７）及び（８）を奏する。
【００５０】
（７）電子タグリーダライタ装置９を装置筐体１の外側に設けたので、装置筐体１内に組み込まれる機器が減り、装置筐体１の実装領域が増加して、実装の効率化を図ることができる。また、装置筐体１内に組み込まれる機器が減るので、その機器の価格分をコストダウンすることができる。
【００５１】
（８）電子タグ７ａ〜７ｌの通信手順仕様が異なるときに、その通信手順仕様に合致した電子タグリーダライタ装置９をアンテナコネクタ１４に接続して、電子タグ７ａ〜７ｌのＩＤを確実に読み取ることができる。
【００５２】
［Ｃ］第３の実施の形態（図３）
図３は、本発明に係る構成管理装置の第３の実施の形態を示す構成図である。この第３の実施の形態において、前記第２の実施の形態と同様な部分は、同一の符号を付して説明を簡略化し、または省略する。
【００５３】
前記第２の実施の形態の構成管理装置２２が、アンテナ８ａ〜８ｌとアンテナコネクタ１４を装置筐体１内に組み込んだものであるのに対し、本実施の形態の構成管理装置２３では、冷却ファン２、電源装置３、ベイエリア実装装置４ａ，４ｂ、拡張インターフェイスカード機器５ａ〜５ｆ、マザーボード６等の実装品、及び装置筐体１にそれぞれ貼り付けられる電子タグ７ａ〜７ｌの貼り付け位置が装置筐体１の壁面付近で、好ましくは外側に露出し、また、電子タグリーダライタ装置９が装置筐体１に外側に配置されると共に、そのアンテナ８ａ〜８ｌが装置筐体１の外側で、電子タグ７ａ〜７ｌに接近する位置に配置されている。そして、このアンテナ８ａ〜８ｌは、装置筐体１の外側に配置されたアンテナコネクタ１４を介して電子タグリーダライタ装置９に接続される。
【００５４】
このように構成された本実施の形態において、電子タグリーダライタ装置９とアンテナ８ａ〜８ｌは、アンテナコネクタ１４により接続されるので、第２の実施の形態の構成管理装置２２と同様に作用する。
【００５５】
従って、本実施の形態によれば、前記第１及び第２の実施の形態の効果（１）〜（８）と同様な効果を奏するほか、次の効果（９）を奏する。
【００５６】
（９）装置筐体１内にアンテナ８ａ〜８ｌ及びアンテナコネクタ１４が組み込まれていないので、装置筐体１内の実装効率を、前記第２の実施の形態の構成管理装置２２よりも一層向上させることができ、更に既存の装置筐体１をそのまま使用できる。
【００５７】
［Ｄ］第４の実施の形態（図４）
図４は、本発明に係る構成管理装置の第４の実施の形態を示す構成図である。この第４の実施の形態において、前記第１の実施の形態と同様な部分は、同一の符号を付して説明を簡略化し、または省略する。
【００５８】
本実施の形態の構成管理装置２４は、第１の実施の形態の構成管理装置２０の構成に、電磁波を吸収あるいは遮蔽する防磁シールド１５ａ〜１５ｌが追加されたものである。電子タグリーダライタ装置９の各アンテナ８ａ〜８ｌが各電子タグ７ａ〜７ｌと対となって通信する間に、その対となっている各アンテナ８ａ〜８ｌ及び各電子タグ７ａ〜７ｌ以外の他の部分に対して、防磁シールド１５ａ〜１５ｌによりアンテナ８ａ〜８ｌからの電磁波が遮断される。この防磁シールド１５ａ〜１５ｌは、例えば電磁波を反射あるいは吸収するフェライトコアや磁性シートなどが用いられる。
【００５９】
このように構成された構成管理装置２４においては、各アンテナ８ａ〜８ｌから発信された電磁波は、防磁シールド１５ａ〜１５ｌが設置されている部分以上には届かず、防磁シールド１５ａ〜１５ｌが設置されていない部分を通り、その先にある所望の各電子タグ７ａ〜７ｌと通信する。電子タグ７ａ〜７ｌよりも更に先には、他のアンテナ８ａ〜８ｌの防磁シールド１５ａ〜１５ｌが設置されているため、それより先へ電磁波が至ることはない。
【００６０】
従って、本実施の形態によれば、前記第１の実施の形態の効果（１）〜（６）と同様な効果を奏するほか、次の効果（１０）を奏する。
【００６１】
（１０）アンテナ８ａ〜８ｌから発信される電磁波の出力が大きく、対となっている電子タグ７ａ〜７ｌ以外の電子タグ７ａ〜７ｌまで電磁波が影響する距離であっても、防磁シールド１５ａ〜１５ｌによりそれより先へ電磁波が届かず、他の電子タグ７ａ〜７ｌへ電磁波が至らないので、各アンテナ８ａ〜８ｌは、所望の対となっている各電子タグ７ａ〜７ｌのみと確実な通信を実施できる。
【図面の簡単な説明】
【００６２】
【図１】本発明に係る構成管理装置の第１の実施の形態を示す構成図。
【図２】本発明に係る構成管理装置の第２の実施の形態を示す構成図。
【図３】本発明に係る構成管理装置の第３の実施の形態を示す構成図。
【図４】本発明に係る構成管理装置の第４の実施の形態を示す構成図。
【符号の説明】
【００６３】
１  装置筐体（構成部品）
２  冷却ファン装置（構成部品；実装品）
３  電源装置（構成部品；実装品）
４ａ，４ｂ  ベイエリア実装装置（構成部品；実装品）
５ａ〜５ｆ  拡張インターフェイスカード機器（構成部品；実装品）
６  マザーボード（構成部品；実装品）
７ａ〜７ｌ  電子タグ
８ａ〜８ｌ  アンテナ
９  電子タグリーダライタ装置
１０  可搬端末装置（端末装置）
１１  ネットワーク装置
１２  構成管理サーバマシン
１３  構成管理データベース
１４  アンテナコネクタ
１５ａ〜１５ｌ  防磁シールド
１６  表示装置
１７  表示装置
１８  記憶装置
２０、２２、２３、２４  構成管理装置
２１  装置
【図１】
2008305183.tif 000003
【図２】
2008305183.tif 000004
【図３】
2008305183.tif 000005
【図４】
2008305183.tif 000006